(57)【要約】      （修正有）【課題】励磁ピーク圧による絶縁を破壊することを防止するための変圧器ワイヤーラップ軸構成を提供する。【解決手段】変圧器ワイヤーラップ軸１のワイヤーラップ槽１０の上に、複数組の隔離葉片１１が設けられ、当該隔離葉片の上部に、エナメル線が平らにもう一つのワイヤーラップ槽の底部まで跨がるための斜め坂線収納溝１２があり、これにより、ジャンパー線が短縮され、各ワイヤーラップ槽内のワイヤーラップセットが短時間で順に完成されて、コイルの層間絶縁効果が増加される。【選択図】図４
0003114691.tif 000002
【実用新案登録請求の範囲】
【請求項１】
変圧器ワイヤーラップ軸のワイヤーラップ槽の上に、複数組の隔離葉片が設けられ、当該隔離葉片の上部に、エナメル線が平らにもう一つのワイヤーラップ槽の底部まで跨がるための斜め坂線収納溝があり、これにより、ジャンパー線が短縮され、各ワイヤーラップ槽内のワイヤーラップセットが短時間で順に完成されて、コイルの層間絶縁効果が増加される、ことを特徴とする励磁ピーク圧による絶縁を破壊することを防止するための変圧器ワイヤーラップ軸構成。
【請求項２】
葉片の上部に位置する斜め坂線収納溝は、ワイヤーラップフレームの一側に設けられる、ことを特徴とする請求項１に記載の励磁ピーク圧による絶縁を破壊することを防止するための変圧器ワイヤーラップ軸構成。
【請求項３】
葉片の上部に位置する斜め坂線収納溝は、ワイヤーラップフレームの二側に設けられる、ことを特徴とする請求項１に記載の励磁ピーク圧による絶縁を破壊することを防止するための変圧器ワイヤーラップ軸構成。
【考案の詳細な説明】
【技術分野】
【０００１】
本考案は、共振式背面光回路に適用され、励磁ピーク圧による絶縁を破壊することを防止するための変圧器ワイヤーラップ軸に関し、特に、隔離葉片の上部に斜め坂線収納溝が設けられることにより、エナメル線が跨がることができ、これにより、コイルの層間絶縁効果が増加され、変圧器が高い電圧を耐える目的が達成され、これにより、従来の背面光モジュール出力変圧器ワイヤーラップ軸の欠点が、大幅に改善されるものに関する。
【背景技術】
【０００２】
一般の、従来の共振式背面光回路用変圧器ワイヤーラップ軸は、図１〜図３のように、変圧器ワイヤーラップ軸100の各絶縁ワイヤーラップ槽101の隔離葉片102により、欠け口103（例えば、図３〜１）が形成され、エナメル線200は、この欠け口103を介して、もう一つのワイヤーラップ槽101に到達する。しかしながら、前槽が所定の高さにワイヤーラップされた後、その欠け口103を介して、もう一つのワイヤーラップ槽の底部からワイヤーラップ開始すると、欠け口103を通す跨がり線は、高い位置からもう一つのワイヤーラップ槽101の底部までのため、印加された電圧の差が大きくなり、また、ワイヤーラップする時の未定要素により、コイルの層間において、絶縁が不足であるため焼却されるため、厳重な事情になる。
【考案の開示】
【考案が解決しようとする課題】
【０００３】
ディスプレーに関する技術の発展に伴い、液晶ディスプレーモニタ（LCD Monitor）は、薄くて、スペースが取らず、そして、画質が安定的でシンチレーションがないため、従来の陰極線管（CRT）モニタの代わりに適用されてくる。液晶ディスプレーは、バックライトシステムの光源とする、高圧で駆動される冷陰極管を有するバックライトモジュールが含有される。このようなチューブは、一般として、インバータ（inverter）で駆動し、駆動回路が含有される以外は、主として、高圧変圧器が含有される。また、今まで来ると、インバータ（inverter）のサイズが少しずつ小さくなり、そして、効率が少しずつ向上され、それは、出力変圧器がより高い高圧を持つためである。
【課題を解決するための手段】
【０００４】
本考案者は、上記の問題を解消するために、長年の経験そして慎重に研究開発することに基づいて、変圧器が高い電圧を耐える目的を達成できる、隔離葉片の上部にエナメル線が跨がるための斜め坂線収納溝が設けられることにより、コイルの層間絶縁効果が増加される背面光モジュール出力変圧器ワイヤーラップ軸を提案する。これにより、上記の従来の背面光モジュール出力変圧器ワイヤーラップ軸の欠点は、大幅に改善された。
【０００５】
実際に回路の応用上では、本考案は、各種類の高周波共振式インバータのパワー出力回路や各種類の冷陰極管インバータの出力回路等にも応用でき、そして、各種類の電源変圧器にも適用できる。
【０００６】
以下、図面を参照しながら、本考案について、詳しく説明する。
【考案を実施するための最良の形態】
【０００７】
本考案は、図４〜６のように、変圧器ワイヤーラップ軸1のワイヤーラップ槽10の上に、幾つかの隔離葉片11が設けられ、当該隔離葉片11の上部は、一側や両側の上に、エナメル線2が跨がってもう一つのワイヤーラップ槽10の底部まで平らに伸ばすための斜め坂線収納溝12（図５〜１及図５〜２のように）が設けられ、これにより、ジャンパー線が短縮され、各ワイヤーラップ槽10内のワイヤーラップセットが短時間で順に完成され、本考案の目的は、上記の従来の共振式背面光回路用変圧器ワイヤーラップ軸の欠点を解消するもので、共振式背面光回路用変圧器ワイヤーラップ軸は、隔離葉片11の上部に斜め坂線収納溝12が設けられることにより、エナメル線2が跨がり、コイルの層間絶縁効果が増加されて、変圧器がより高い電圧を耐える目的が達成され、上記の従来の背面光モジュール出力変圧器ワイヤーラップ軸の欠点も、これにより、大幅に改善され、本考案において、隔離葉片11の上部に位置する斜め坂線収納溝12は、良い隔離でエナメル線2が跨がることに供し、また、当該斜め坂線収納溝12は、エナメル線2が平らにもう一つのワイヤーラップ槽10の底部まで跨がってワイヤーラップ開始することを確保できるため、コイル同士の間に、耐える電圧が大幅に向上される。
【０００８】
以上のように、本考案は、共振式背面光回路用変圧器ワイヤーラップ軸に適用され、主として、隔離葉片の上部に、エナメル線が跨がる斜め坂線収納溝が設けられることにより、斜め坂線収納溝の斜め坂により、エナメル線が平らにもう一つのワイヤーラップ槽の底部まで跨がってワイヤーラップ開始することを確保できるため、コイルの層間絶縁効果の増加が得られ、変圧器がより高い電圧を耐える目的が達成され、そのため、産業上の実用価値があり、また、本考案は、公告されること無く、そして、刊行物に披露されること無いから、実用新案登録請求の要件を満たすため、法に従って、出願する。
【図面の簡単な説明】
【０００９】
【図１】従来のインバータの変圧器ワイヤーラップ軸の上面図
【図２】従来のインバータの変圧器ワイヤーラップ軸の正面図
【図３】従来のインバータの変圧器ワイヤーラップ軸の下面図
【図３ａ】図３の従来のインバータの変圧器ワイヤーラップ軸のＥ部分拡大図
【図４】本考案の上面図
【図４ａ】図４のＡ部分拡大図
【図５】本考案の正面図
【図５ａ】図５のＢ部分拡大図
【図５ｂ】図５のＣ−Ｃ断面図
【図６】本考案の下面図
【図６ａ】図６のＤ部分拡大図
【符号の説明】
【００１０】
(1)変圧器ワイヤーラップ軸
(10)ワイヤーラップ槽
(11)隔離葉片
(12)斜め坂線収納溝
(2)エナメル線
(100)変圧器ワイヤーラップ軸
(101)ワイヤーラップ槽
(102)隔離葉片
(103)欠け口
(200)エナメル線
【図１】
0003114691.tif 000003
【図２】
0003114691.tif 000004
【図３】
0003114691.tif 000005
【図３ａ】
0003114691.tif 000006
【図４】
0003114691.tif 000007
【図４ａ】
0003114691.tif 000008
【図５】
0003114691.tif 000009
【図５ａ】
0003114691.tif 000010
【図５ｂ】
0003114691.tif 000011
【図６】
0003114691.tif 000012
【図６ａ】
0003114691.tif 000013